(57)【要約】【課題】実際に移動した経路を出発地および／または目的地とともに容易に把握する。【解決手段】実施形態に係る情報処理システムは、出発地および／または目的地を含む経路探索条件情報を取得する経路探索条件情報取得手段と、移動実績を示す位置情報を含む移動実績情報を取得する移動実績情報取得手段と、前記経路探索条件情報に含まれる出発地および／または目的地が前記移動実績情報に付加された補完移動実績情報を取得する出力情報取得手段と、を備える。【選択図】図１
2018087727.tif 000002
【特許請求の範囲】
【請求項１】
出発地および／または目的地を含む経路探索条件情報を取得する経路探索条件情報取得手段と、
移動実績を示す位置情報を含む移動実績情報を取得する移動実績情報取得手段と、
前記経路探索条件情報に含まれる出発地および／または目的地が前記移動実績情報に付加された補完移動実績情報を取得する出力情報取得手段と、
を備えることを特徴とする情報処理システム。
【請求項２】
前記出力情報取得手段は、前記補完移動実績情報として、前記経路探索条件情報に含まれる出発地および／または目的地が施設である補完施設移動実績情報を取得することを特徴とする請求項１に記載の情報処理システム。
【請求項３】
前記移動実績情報および前記経路探索条件情報に基づいて、前記移動実績情報および前記経路探索条件情報を関連付けることにより、前記補完移動実績情報を生成する補完移動実績情報生成手段をさらに備えることを特徴とする請求項１または２に記載の情報処理システム。
【請求項４】
前記補完移動実績情報生成手段は、前記移動実績情報に含まれる移動時間情報と、前記経路探索条件情報に含まれる経路探索時間情報とに基づいて、前記移動実績情報および前記経路探索条件情報を関連付けることを特徴とする請求項３に記載の情報処理システム。
【請求項５】
前記出力情報取得手段は、前記移動実績情報の一部または全部であって、前記出発地および前記目的地を端点として有する思い出移動実績情報を、前記補完移動実績情報として取得することを特徴とする請求項１〜４のいずれかに記載の情報処理システム。
【請求項６】
前記出力情報取得手段は、複数の前記補完移動実績情報が格納された補完移動実績情報データベースから、交通分析条件を満たす補完移動実績情報を取得することを特徴とする請求項１〜４のいずれかに記載の情報処理システム。
【請求項７】
通信可能に接続された複数のコンピュータによって構成される情報処理システムであって、
出発地および／または目的地を含む経路探索条件情報を取得する経路探索条件情報取得手段と、
移動実績を示す位置情報を含む移動実績情報を取得する移動実績情報取得手段と、
前記経路探索条件情報に含まれる出発地および／または目的地が前記移動実績情報に付加された補完移動実績情報を取得する出力情報取得手段と、
を備えた情報処理システムを機能させるために、
上記コンピュータの少なくとも１つを上記出力情報取得手段として機能させるための情報処理プログラム。
【請求項８】
通信可能に接続された複数のコンピュータによって、請求項１〜６のいずれかに記載の情報処理システムを機能させるために、
上記コンピュータのうちの１つを請求項１〜６のいずれかに記載の情報処理システムにおける上記出力情報取得手段として機能させるための情報処理プログラム。
【請求項９】
コンピュータを、請求項１〜６のいずれかに記載の情報処理システムにおける上記出力情報取得手段として機能させるための情報処理プログラム。
【請求項１０】
通信可能に接続された複数の情報処理装置によって、
出発地および／または目的地を含む経路探索条件情報を取得する経路探索条件情報取得手段と、
移動実績を示す位置情報を含む移動実績情報を取得する移動実績情報取得手段と、
前記経路探索条件情報に含まれる出発地および／または目的地が前記移動実績情報に付加された補完移動実績情報を取得する出力情報取得手段と、
を備えた情報処理システムを構成するために、
上記手段の少なくとも１つを備えたことを特徴とする情報処理装置。
【請求項１１】
コンピュータを、
出発地および／または目的地を含む経路探索条件情報を取得する経路探索条件情報取得手段、
移動実績を示す位置情報を含む移動実績情報を取得する移動実績情報取得手段、および
前記経路探索条件情報に含まれる出発地および／または目的地が前記移動実績情報に付加された補完移動実績情報を取得する出力情報取得手段
として機能させるための情報処理プログラム。
【請求項１２】
経路探索条件情報取得手段が、出発地および／または目的地を含む経路探索条件情報を取得するステップと、
移動実績情報取得手段が、移動実績を示す位置情報を含む移動実績情報を取得するステップと、
出力情報取得手段が、前記経路探索条件情報に含まれる出発地および／または目的地が前記移動実績情報に付加された補完移動実績情報を取得するステップと、
を備えることを特徴とする情報処理方法。
【発明の詳細な説明】
【技術分野】
【０００１】
本発明は、情報処理システム、情報処理プログラム、情報処理装置、および情報処理方法に関する。
【背景技術】
【０００２】
従来、ＧＰＳ等の測位手段により自動車等の移動体の現在位置を測位し、測位された現在位置を地図情報とともに表示するナビゲーション装置が知られている。このナビゲーション装置には、実際に通過した経路の軌跡データを保存し、不必要な軌跡を削除することで、過去に走行した移動経路をより有効に保存し、参照できるようにしたものがある（特許文献１）。
【先行技術文献】
【特許文献】
【０００３】
【特許文献１】特開平５−３１３５７１号公報
【発明の概要】
【発明が解決しようとする課題】
【０００４】
しかしながら、ＧＰＳ信号の受信不良、駐車等によりナビゲーション装置を目的地の手前で終了させる等の理由により、軌跡データには、出発地や目的地を示す正確な位置情報が含まれない場合がある。また、軌跡データには、商業施設等の施設レベルでの目的地や出発地に関する情報は含まれない。このため、移動経路は比較的正確に把握できるものの、移動の意図は容易に把握することが困難であった。
【０００５】
本発明は、実際に移動した経路を出発地および／または目的地とともに容易に把握できる情報処理システム、情報処理プログラム、情報処理装置、および情報処理方法を提供する。
【課題を解決するための手段】
【０００６】
本発明に係る情報処理システムは、
出発地および／または目的地を含む経路探索条件情報を取得する経路探索条件情報取得手段と、
移動実績を示す位置情報を含む移動実績情報を取得する移動実績情報取得手段と、
前記経路探索条件情報に含まれる出発地および／または目的地が前記移動実績情報に付加された補完移動実績情報を取得する出力情報取得手段と、
を備えることを特徴とする。
【発明の効果】
【０００７】
本発明によれば、実際に移動した経路を出発地および／または目的地とともに容易に把握できる。
【図面の簡単な説明】
【０００８】
【図１】第１の実施形態に係る情報処理システム１の概略的な構成を示す図である。
【図２】補完移動実績情報データベースの生成方法を説明するための図である。
【図３Ａ】第１の実施形態に係る情報処理システム１の処理動作の一例を示すシーケンス図である。
【図３Ｂ】図３Ａに続く、第１の実施形態に係る情報処理システム１の処理動作の一例を示すシーケンス図である。
【図４】第１の実施形態に係る端末装置２に表示される画面の第１の例を示す図である。
【図５】第１の実施形態に係る端末装置２に表示される画面の第２の例を示す図である。
【図６】第２の実施形態に係る情報処理システム１Ａの概略的な構成を示す図である。
【図７Ａ】第２の実施形態に係る情報処理システム１Ａの処理動作の一例を示すシーケンス図である。
【図７Ｂ】図７Ａに続く、第２の実施形態に係る情報処理システム１Ａの処理動作の一例を示すシーケンス図である。
【図８】第２の実施形態に係る分析用端末６に表示される画面の第１の例を示す図である。
【図９】図８に対応する、交通分析結果を示す表である。
【図１０】第２の実施形態に係る分析用端末６に表示される画面の第２の例を示す図である。
【図１１】図１０に対応する、交通分析結果を示す表である。
【図１２】第２の実施形態に係る分析用端末６に表示される画面の第３の例を示す図である。
【図１３】第２の実施形態に係る分析用端末６に表示される画面の第４の例を示す図である。
【発明を実施するための形態】
【０００９】
以下、本発明に係る実施形態について、図面を参照しながら具体的に説明する。
【００１０】
（第１の実施形態）
本発明に係る第１の実施形態について説明する。
【００１１】
本実施形態に係る情報処理システム１は、図１に示すように、端末装置２およびサーバ３を備えている。端末装置２とサーバ３とは、インターネット等のネットワーク４を介して互いに通信可能に接続されている。ネットワーク４は、有線回線および無線回線のいずれでもよく、回線の種類や形態は問わない。
【００１２】
＜端末装置２＞
端末装置２は、ユーザが移動時に使用する情報処理端末であり、例えば、スマートフォン、タブレット端末、携帯電話、カーナビゲーション装置等である。この端末装置２は、図１に示すように、通信部２１と、制御部２２と、測位部２３と、操作入力部２４と、出力部２５とを有する。なお、端末装置２は、制御部２２が動作するためのプログラムや制御部２２が取り扱うデータを記憶するための記憶部（図示せず）を有してもよい。
【００１３】
通信部２１は、ネットワークを介して制御部２２とサーバ３との間で情報を送受信するためのインターフェースである。
【００１４】
制御部２２は、測位部２３から位置情報を取得する位置情報取得部２２１と、経路探索条件情報を取得する探索条件取得部２２２と、出力部２５に出力するための情報を取得する出力情報取得部２２３とを有する。なお、制御部２２の各部は、端末装置２内のプロセッサが所定のプログラムを実行することにより実現されてもよい。
【００１５】
位置情報取得部２２１は、測位部２３から受信した位置情報を含む移動実績情報を取得する。この移動実績情報は、ユーザの移動実績を示す位置情報を含む。例えば、移動実績情報は、ＧＰＳにより所定間隔（例えば１〜６秒）で測位された緯度経度情報を含む。なお、移動実績情報には、位置情報のほか、データ識別情報（ユーザＩＤ，経路ＩＤ，検索ＩＤ等）や、位置情報が取得された日時を示す情報（移動時間情報）が含まれてもよい。
【００１６】
探索条件取得部２２２は、操作入力部２４を介してユーザが設定した経路探索条件情報を取得する。この経路探索条件情報は、少なくとも、出発地および／または目的地を含む。
【００１７】
経路探索条件として設定される出発地や目的地は、地点を特定可能な情報であればよく、鉄道の駅、バスの停留所、タクシー乗り場、空港、港など、交通機関の乗降場所に限らず、例えば、住所、郵便番号、電話番号、自宅、会社であってもよい。
【００１８】
移動の意図をより良く把握可能な経路探索条件として、出発地や目的地は施設の名称であってもよい。本願において、「施設」とは、名称を有する場所または建物をいう。例えば、店舗、複数の店舗を有するショッピングモール（アウトレット）、神社仏閣等の観光地、遊園地、テーマパーク、ゴルフ場、スキー場、海水浴場、野球場、サッカースタジアムなどである。
【００１９】
なお、経路探索条件情報には、経路探索に用いられる条件のほか、データ識別情報（ユーザＩＤ、経路ＩＤ、検索ＩＤ等）や、経路探索が実行された日時等の情報（経路探索時間情報）が含まれてもよい。
【００２０】
また、経路探索条件には、経由地（鉄道の場合は乗換駅）、使用路線、出発時刻、到着時刻等の条件が含まれてもよい。
【００２１】
また、探索条件取得部２２２は、操作入力部２４を介さずに経路探索条件の全部または一部を取得してもよい。例えば、測位部２３から現在位置を出発地として取得してもよいし、端末装置２が有する時計（図示せず）もしくは外部のサーバから現在時刻を出発時刻として取得してもよい。あるいは、過去の経路探索履歴に基づいて経路探索条件を取得してもよいし、ユーザが事前に登録した地点（通勤・通学先等）もしくはルート（通勤・通学ルート、お気に入りルート等）の情報に基づいて経路探索条件を取得してもよい。
【００２２】
出力情報取得部２２３は、端末装置２のユーザに提示する情報（サーバ３から取得した情報等）を映像信号や音声信号に変換して出力部２５に送信する。
【００２３】
測位部２３は、端末装置２の現在位置を測位するための測位手段であり、例えばＧＰＳやＷｉｆｉによる測位を行う。現在位置は、例えば緯度および経度で表現される。
【００２４】
操作入力部２４は、ユーザが端末装置２に情報を入力するためのインターフェースであり、例えば、タッチパネル、キーボード、ボタン、マウス、マイク等である。
【００２５】
出力部２５は、制御部２２から出力された情報をユーザに提示するための手段であり、例えば、液晶ディスプレイ等の映像表示手段である。なお、操作入力部２４がタッチパネルの場合には、操作入力部２４が出力部２５を兼ねてもよい。また、出力部２５は、スピーカ等の音声出力手段を含んでもよい。
【００２６】
なお、本実施形態では、図１に示すように、位置情報取得部２２１、探索条件取得部２２２、出力情報取得部２２３が一つの端末装置２に設けられているが、各取得部が複数の端末装置に分散して設けられてもよい。例えば、位置情報取得部２２１が車両のカーナビゲーション装置に設けられ、探索条件取得部２２２および出力情報取得部２２３がスマートフォンに設けられてもよい。あるいは、位置情報取得部２２１がカーナビゲーション装置に設けられ、探索条件取得部２２２がスマートフォンに設けられ、出力情報取得部２２３がパソコンに設けられてもよい。
【００２７】
＜サーバ３＞
次に、サーバ３について説明する。サーバ３は、端末装置２から受信した移動実績情報および経路探索条件情報に基づいて補完移動実績情報を生成する。「補完移動実績情報」とは、経路探索条件情報により補完された移動実績情報のことであり、より詳しくは、経路探索条件情報に含まれる出発地および／または目的地が移動実績情報に付加された情報のことである。
【００２８】
サーバ３は、図１に示すように、通信部３１と、制御部３２と、記憶部３３と、を有する。通信部３１は、ネットワーク４を介して端末装置２と、サーバ３の制御部３２との間で情報を送受信するインターフェースである。
【００２９】
制御部３２は、移動実績情報取得部３２１と、経路探索条件情報取得部３２２と、補完移動実績情報生成部３２３と、出力情報取得部３２４と、を有している。なお、制御部３２の各部は、サーバ３内のプロセッサが所定のプログラムを実行することにより実現されてもよい。
【００３０】
移動実績情報取得部３２１は、端末装置２から移動実績情報を取得し、移動実績情報データベース３３１に保存する。本実施形態では、移動実績情報は、端末装置２の位置情報取得部２２１により取得された複数の位置情報を含む。この移動実績情報によれば、ユーザが実際に移動した経路を正確に把握することができる。
【００３１】
なお、プライバシー保護の観点から、個人を特定できないように、移動実績情報取得部３２１は、発着地付近のデータの除去や、ユーザＩＤを削除して経路単位でＩＤを振り直す等の処理を行って、個人を特定できない形式（点列データ）に加工した上で記憶部３３の移動実績情報データベース３３１に保存してもよい。
【００３２】
経路探索条件情報取得部３２２は、端末装置２から経路探索条件情報を取得し、記憶部３３の経路探索条件情報データベース３３２に保存する。本実施形態では、経路探索条件情報は、端末装置２の探索条件取得部２２２により取得された経路探索条件を含む。この経路探索条件情報によれば、発着地の施設等を正確に把握することができる。
【００３３】
補完移動実績情報生成部３２３は、移動実績情報および経路探索条件情報に基づいて補完移動実績情報を生成し、記憶部３３の補完移動実績情報データベース３３３に保存する。この補完移動実績情報は、経路探索条件情報により補完された移動実績情報である。補完移動実績情報生成部３２３による処理の詳細については後述する。
【００３４】
補完移動実績情報生成部３２３は、移動実績情報の一部または全部であって、出発地および目的地を端点として有する思い出移動実績情報を、補完移動実績情報として生成する。例えば、思い出移動実績情報は、移動実績情報が示す移動経路から、経路探索条件情報に含まれる出発地および目的地を端点として切り出して得られる移動経路である。
【００３５】
出力情報取得部３２４は、補完移動実績情報を取得する。より詳しくは、出力情報取得部３２４は、ユーザの出力要求に応じて、補完移動実績情報データベース３３３にアクセスして、補完移動実績情報を取得する。そして、出力情報取得部３２４は、取得した補完移動実績情報を、通信部３１を介して端末装置２に送信する。
【００３６】
本実施形態では、出力情報取得部３２４は、サーバ３から、思い出移動実績情報を補完移動実績情報として取得する。
【００３７】
記憶部３３には、制御部３２が取り扱うデータが記憶される。記憶部３３は、例えばハードディスク、不揮発性半導体メモリ（ＳＳＤ等）などにより構成される。また、記憶部３３は、必ずしもサーバ３内に設けられなくてもよく、ネットワークを介して通信可能に接続された別の装置内に設けられてもよい。
【００３８】
図１に示すように、記憶部３３には、移動実績情報データベース３３１、経路探索条件情報データベース３３２、および補完移動実績情報データベース３３３が記憶される。移動実績情報データベース３３１は、端末装置２から取得された移動実績情報が蓄積されるデータベースである。経路探索条件情報データベース３３２は、端末装置２から取得された経路探索条件情報が蓄積されるデータベースである。補完移動実績情報データベース３３３は、補完移動実績情報生成部３２３により生成された補完移動実績情報が蓄積されるデータベースである。
【００３９】
次に、図２を参照して、補完移動実績情報生成部３２３による生成処理の詳細について説明する。補完移動実績情報生成部３２３は、まず、移動実績情報データベース３３１および経路探索条件情報データベース３３２にアクセスして、ユーザＩＤ等のデータ識別情報を用いて移動実績情報と経路探索条件情報の紐付けを行う。この紐付け処理により、経路探索後に実際に移動したユーザのデータが抽出される。次に、補完移動実績情報生成部３２３は、上記の紐付けられた移動実績情報および経路探索条件情報から補完移動実績情報を生成し、生成された補完移動実績情報を補完移動実績情報データベース３３３に保存する。
【００４０】
なお、紐付け処理では、移動実績情報および経路探索条件情報に含まれる時間情報を利用してもよい。すなわち、補完移動実績情報生成部３２３は、移動実績情報に含まれる移動時間情報（例えば通過日時）と、経路探索条件情報に含まれる経路探索時間情報（例えば発着日時）とに基づいて、移動実績情報および経路探索条件情報を関連付けることにより、補完移動実績情報を生成してもよい。例えば、経路探索時間情報に含まれる出発日時または到着日時の日付と移動時間情報の日付が同じものを関連付けることにより、補完移動実績情報を生成してもよい。また、例えば、実際の移動開始前に経路探索が複数回実行されるケースが存在することから、実際の移動開始（すなわち端末装置２の位置情報取得部２２１が位置情報を取得し始める）直前、あるいは移動開始時から所定時間（例えば５分）以内に実行された経路探索における探索条件を移動実績情報に付加することにより、補完移動実績情報を生成してもよい。また、予定変更等により移動開始後に経路探索が実行されるケースも存在することから、直近に実行された経路探索における探索条件（すなわち、最新の探索条件）を移動実績情報に付加するようにしてもよい。
【００４１】
また、紐付け処理は、データ識別情報に加えて、緯度経度情報を用いて行ってもよい。すなわち、補完移動実績情報生成部３２３は、移動実績情報に含まれる緯度経度情報と、経路探索条件情報に含まれる出発地および／または目的地とに基づいて、移動実績情報および経路探索条件情報を関連付けることにより、補完移動実績情報を生成してもよい。例えば、目的地またはその周辺エリアが緯度経度情報の位置を包含する場合には、当該目的地を移動実績情報に付加するようにしてもよい。
【００４２】
また、プライバシー保護の観点から、補完移動実績情報の生成処理が終了した後、個人を特定できないように、移動実績情報および経路探索条件情報に含まれるユーザＩＤ等を削除する処理を実行してもよい。また、補完移動実績情報は、ユーザＩＤ等のデータ識別情報を含まないようにしてもよい。
【００４３】
なお、補完移動実績情報を生成した後、補完移動実績情報生成部３２３は、補完移動実績情報にフィリタリング処理を施して補完施設移動実績情報を生成し、補完施設移動実績情報データベース３３４に保存してもよい。このフィルタリング処理は、経路探索条件情報に含まれる出発地および／または目的地が施設である補完移動実績情報のみを抽出する処理である。したがって、フィルタリング処理では、出発地および／または目的地が住所、ユーザ登録地点、駅、地図上の座標などのデータは抽出されない。補完施設移動実績情報も補完移動実績情報として取り扱うことが可能である。すなわち、フィルタリング処理を行う場合、出力情報取得部３２４は、補完移動実績情報として、経路探索条件情報に含まれる出発地および／または目的地が施設である補完施設移動実績情報を取得する。
【００４４】
＜処理フロー＞
次に、上記のように構成された情報処理システム１による処理の一例について、図３Ａおよび図３Ｂのシーケンス図を参照しつつ以下に詳しく説明する。
【００４５】
端末装置２の探索条件取得部２２２は、経路探索条件情報を取得し、通信部２１を介してサーバ３に送信する（ステップＳ１１）。
【００４６】
次に、サーバ３の経路探索条件情報取得部３２２は、端末装置２から通信部３１を介して経路探索条件情報を受信し、経路探索条件情報データベース３３２に記憶する（ステップＳ２１）。
【００４７】
端末装置２の位置情報取得部２２１は、移動実績情報を取得し、通信部２１を介してサーバ３に送信する（ステップＳ１２）。
【００４８】
次に、サーバ３の移動実績情報取得部３２１は、端末装置２から通信部３１を介して移動実績情報を受信し、移動実績情報データベース３３１に記憶する（ステップＳ２２）。
【００４９】
次に、サーバ３の補完移動実績情報生成部３２３は、移動実績情報および経路探索条件情報に基づいて補完移動実績情報を生成し、補完移動実績情報データベース３３３に記憶する（ステップＳ２３）。
【００５０】
端末装置２の制御部２２は、ユーザから補完移動実績情報の出力要求があるか否かを判定する（ステップＳ１３）。この出力要求には、経路指定条件が含まれる。経路指定条件としては、時間指定（日時または期間）、出発地指定、目的地指定、およびこれらの任意の組合せ等がある。
【００５１】
出力要求がある場合（Ｓ１３：Ｙｅｓ）、端末装置２は出力要求情報をサーバ３に送信する（ステップＳ１４）。
【００５２】
サーバ３の出力情報取得部３２４は、端末装置２から受信した出力要求情報に基づいて、補完移動実績情報データベース３３３から補完移動実績情報を、出力情報として取得する（ステップＳ２４）。例えば、出力要求情報に日時指定が含まれる場合、出力情報取得部３２４は、指定された日時の補完移動実績情報を補完移動実績情報データベース３３３から抽出する。なお、出力情報取得部３２４は、補完施設移動実績情報データベース３３４から、補完施設移動実績情報を出力情報として取得してもよい。
【００５３】
出力情報を取得した後、出力情報取得部３２４は、通信部３１を介して端末装置２に出力情報を送信する（ステップＳ２５）。
【００５４】
端末装置２の出力情報取得部２２３は、通信部２１を介して、サーバ３から送信された出力情報を取得し、出力部２５に送信する（ステップＳ１５）。なお、本ステップにおいて、出力情報取得部２２３は、出力部２５が移動経路の端点となる出発地や目的地を星印などの目印で表示したり、出発地や目的地の名称を表示するように、出力情報を映像信号に変換してもよい。
【００５５】
図４は、端末装置２の出力部２５に表示される画面の第１の例を示している。この例では、日時（２０１６年１０月９日）および出発地（Ｃ駅）を指定した場合における、補完施設移動実績情報に基づく出力結果を示している。指定された日にＣ駅を出発地とし、サッカースタジアムを目的地とする移動経路Ｒ１が点列により表示されている。目的地に目印が表示され、施設の名称（サッカースタジアム）が表示されている。このような出力により、ユーザは、指定した日にサッカー観戦に出かけたことを容易に思い出すことができる。
【００５６】
図５は、端末装置２の出力部２５に表示される画面の第２の例を示している。この例では、出発地（Ｃ駅）のみを指定した場合における、補完施設移動実績情報に基づく出力結果を示している。この場合、サッカースタジアムを目的地とする移動経路Ｒ１のほか、テーマパークを目的地とする移動経路Ｒ２、海水浴場を目的地とするＲ３も点列により表示される。図４の場合と同様に、目的地には目印が表示され、施設の名称も表示されている。移動経路Ｒ１，Ｒ２，Ｒ３を明瞭に区別できるように、点列の色等の表示態様を移動経路ごとに変えてもよい。このような出力により、ユーザは、指定した場所から出かけた旅行の思い出をまとめて容易に思い出すことができる。
【００５７】
なお、図５において、符号Ａは、移動実績情報には位置情報が含まれていたが、点列が削除された部分を示している。このように思い出移動実績情報は、移動実績情報が示す移動経路から、経路探索条件情報に含まれる出発地および目的地を端点として切り出して得られる移動経路である。
【００５８】
図４および図５に示すように、端末装置２には、ユーザが実際に移動した移動経路であって、出発地および目的地を端点とする移動経路が出力要求に応じて表示される。これにより、ユーザは、移動の意図を容易に思い出し、振り返ることができる。
【００５９】
上記のように、第１の実施形態では、移動実績情報および経路探索条件情報に基づいて、思い出移動実績情報（出発地および目的地を端点として有する移動実績情報）を生成してユーザに提示する。これにより、第１の実施形態によれば、充実した移動記録を残すことができ、ユーザは移動の意図を容易に思い出すことができる。その結果、例えば、旅行の思い出を容易に振り返ることが可能となる。
【００６０】
（第２の実施形態）
次に、本発明に係る第２の実施形態ついて説明する。第２の実施形態では、移動実績情報および経路探索条件情報に基づいて生成される、補完移動実績情報もしくは補完施設移動実績情報を利用して様々な交通分析を行う。
【００６１】
移動実績情報および経路探索条件情報の各々の特徴について述べる。移動実績情報は、一般的なリンク旅行時間の集計データと異なり、個車の経路判別が可能である。そのため、断面交通流や経路選択といった「流れ」の分析や、方向別の交差点通過時間、区間を継続走行した車両の所要時間といった、精緻な所要時間分析が可能という利点がある。しかし、移動実績情報では、出発地や目的地を詳細に（例えば施設レベルで）把握することができない。
【００６２】
一方、経路探索条件情報は、経路の探索に用いられたデータであり、実際の移動を示すものではないが、ユーザが施設レベルで出発地および／または目的地を入力した情報を有するため、解像度の高いＯＤ（Ｏｒｉｇｉｎ  Ｄｅｓｔｉｎａｔｉｏｎ）分析が可能である。また、経路探索条件情報は、移動の需要を反映したデータであり、沿道の商業施設や観光地の商圏に対する道路開通の影響を測ることができる。
【００６３】
本実施形態に係る情報処理システム１Ａについて、図６を参照して説明する。
【００６４】
情報処理システム１Ａは、図６に示すように、端末装置２と、ログサーバ５と、分析用端末６と、分析サーバ７とを備えている。なお、図６では、図１と同様であるため、端末装置２の詳細は省略している。また、図６では、ログサーバ５、分析用端末６および分析サーバ７の通信部は省略している。
【００６５】
端末装置２とログサーバ５とは、インターネット等のネットワーク４を介して互いに通信可能に接続されている。分析用端末６は分析サーバ７に通信可能に接続され、分析サーバ７はログサーバ５に通信可能に接続されている。なお、分析用端末６および分析サーバ７は、ネットワーク４に接続されてもよい。また、ログサーバ５と分析サーバ７は、一つのサーバで構成されてもよい。
【００６６】
端末装置２は、第１の実施形態と同様であるので詳しい説明は省略する。
【００６７】
＜ログサーバ５＞
ログサーバ５は、複数の端末装置２から送信される移動実績情報および経路探索条件情報を取得し、データベースに蓄積する。
【００６８】
ログサーバ５は、移動実績情報データベース５１１および経路探索条件情報データベース５１２が記憶された記憶部５１を有している。移動実績情報データベース５１１は、第１の実施形態で説明した移動実績情報データベース３３１に相当する。経路探索条件情報データベース５１２は、第１の実施形態で説明した経路探索条件情報データベース３３２に相当する。
【００６９】
図６では図示していないが、ログサーバ５は、第１の実施形態で説明した移動実績情報取得部３２１および経路探索条件情報取得部３２２に相当する構成を有しており、端末装置２から移動実績情報および経路探索条件情報を取得し、記憶部５１のデータベースに蓄積する。
【００７０】
＜分析用端末６＞
分析用端末６は、交通分析を行うユーザが使用する端末であり、制御部６１と、操作入力部６２と、出力部６３とを有している。この分析用端末６は、例えばパソコンであるが、タブレット端末やスマートフォンなどの携帯端末であってもよい。
【００７１】
制御部６１は、分析条件取得部６１１と、出力情報取得部６１２とを有している。分析条件取得部６１１は、交通分析をする際に分析サーバ７に与える条件（交通分析条件情報）を操作入力部６２から取得する。交通分析条件には、例えば、対象の期間と、対象のエリア・位置（道路および／または施設等）とが含まれる。出力情報取得部６１２は、分析用端末６のユーザに提示する情報（分析サーバ７から取得した分析結果等）を映像信号や音声信号に変換して出力部６３に送信する。
【００７２】
操作入力部６２は、ユーザが分析用端末６に情報を入力するためのインターフェースであり、例えば、タッチパネル、キーボード、ボタン、マウス、マイク等である。出力部６３は、制御部６１から出力された情報をユーザに提示するための手段であり、例えば、液晶ディスプレイ等の映像表示手段である。なお、操作入力部６２がタッチパネルの場合には、操作入力部６２が出力部６３を兼ねてもよい。また、出力部６３は、スピーカ等の音声出力手段を含んでもよい。
【００７３】
＜分析サーバ７＞
分析サーバ７は、分析用端末６に入力された分析条件、およびログサーバ５に蓄積されたデータベースに基づいて交通分析を実行するサーバである。
【００７４】
分析サーバ７は、図６に示すように、制御部７１と、記憶部７２とを有する。記憶部７２には、補完移動実績情報データベース７２１が記憶されている。この補完移動実績情報データベース７２１は、第１の実施形態で説明した補完移動実績情報データベース３３３または補完施設移動実績情報データベース３３４に相当するデータベースである。
【００７５】
制御部７１は、移動実績情報取得部７１１と、経路探索条件情報取得部７１２と、補完移動実績情報生成部７１３と、出力情報取得部７１４と、を有している。
【００７６】
移動実績情報取得部７１１は、ログサーバ５の移動実績情報データベース５１１から移動実績情報を取得する。経路探索条件情報取得部７１２は、ログサーバ５の経路探索条件情報データベース５１２から経路探索条件情報を取得する。補完移動実績情報生成部７１３は、移動実績情報および経路探索条件情報に基づいて補完移動実績情報を生成し、補完移動実績情報データベース７２１に保存する。なお、補完移動実績情報に前述のフィルタリング処理を施して補完施設移動実績情報を生成し、補完移動実績情報データベース７２１に保存してもよい。
【００７７】
出力情報取得部７１４は、補完移動実績情報データベース７２１から、交通分析条件情報に含まれる交通分析条件を満たす補完移動実績情報を抽出し、取得する。
【００７８】
＜処理フロー＞
次に、上記のように構成された情報処理システム１Ａによる処理の一例について、図７Ａおよび図７Ｂのシーケンス図を参照しつつ以下に詳しく説明する。
【００７９】
まず、図７Ａを参照してログサーバ５と分析サーバ７との間のシーケンスの一例について説明する。
【００８０】
ログサーバ５は、移動実績情報データベース５１１に格納された移動実績情報を分析サーバ７に送信する（ステップＳ３１）。分析サーバ７の移動実績情報取得部７１１は、移動実績情報を取得する（ステップＳ４１）。なお、ログサーバ５が移動実績情報を分析サーバ７に送信するタイミングは、所定時間ごとであってもよいし、所定数の移動実績情報が蓄積されたタイミングであってもよい。
【００８１】
次に、ログサーバ５は、経路探索条件情報データベース５１２に格納された経路探索条件情報を分析サーバ７に送信する（ステップＳ３２）。分析サーバ７の経路探索条件情報取得部７１２は、経路探索条件情報を取得する（ステップＳ４２）。なお、ログサーバ５が経路探索条件情報を分析サーバ７に送信するタイミングは、所定時間ごとであってもよいし、所定数の経路探索条件情報が蓄積されたタイミングであってもよい。
【００８２】
次に、分析サーバ７の補完移動実績情報生成部７１３は、ログサーバ５から取得された移動実績情報および経路探索条件情報に基づいて補完移動実績情報を生成し、補完移動実績情報データベース７２１に記憶する（ステップＳ４３）。補完移動実績情報の生成方法は、第１の実施形態と同様である。なお、補完移動実績情報生成部７１３は、補完移動実績情報として、補完施設移動実績情報（経路探索条件情報に含まれる出発地および／または目的地が施設である補完移動実績情報）を生成してもよい。
【００８３】
次に、図７Ｂを参照して分析用端末６と分析サーバ７との間のシーケンスの一例について説明する。
【００８４】
まず、分析用端末６の分析条件取得部６１１は、操作入力部６２を介して入力された交通分析条件情報を取得し、分析サーバ７に送信する（ステップＳ５１）。
【００８５】
次に、分析サーバ７の出力情報取得部７１４は、分析用端末６から受信した交通分析条件情報に基づいて、補完移動実績情報データベース７２１から補完移動実績情報を出力情報として取得する（ステップＳ６１）。具体的には、出力情報取得部７１４は、交通分析条件情報に含まれる交通分析条件を満たす補完移動実績情報を補完移動実績情報データベース７２１から出力情報として抽出する。なお、補完移動実績情報として、補完施設移動実績情報を抽出してもよい。
【００８６】
次に、分析サーバ７の出力情報取得部７１４は、出力情報を分析用端末６に送信する（ステップＳ６２）。なお、本ステップにおいて、分析サーバ７は、出力情報に関連する情報を分析用端末６に送信してもよい。このような情報としては、例えば、分析対象エリアの地図情報や、出力情報を分析して得られた情報（目的地設定数や増加率で上位の施設名、道路区間ごとのデータ数など）が挙げられる。このような分析は、出力情報取得部７１４が行ってもよいし、制御部７１に別個に設けられた交通分析部（図示せず）が行ってもよい。
【００８７】
次に、分析用端末６の出力情報取得部６１２は、分析サーバ７から出力情報を取得し、出力部６３に送信する（ステップＳ５２）。なお、本ステップにおいて、出力情報取得部６１２は、出力部６３が目的地を星印などの目印で表示したり、目的地の名称を表示したり、道路種別（高規格道路，一般道等）ごとに色等の表示態様を変えて表示するように、出力情報を映像信号に変換してもよい。
【００８８】
以下、図８〜図１３を参照して、交通分析のいくつかの例について説明する。図８〜図１３はいずれも分析用端末６の画面表示を示している。
【００８９】
図８は新東名開通区間の利用者の目的地を分析した結果を示し、図９は交通分析結果をまとめた表を示している。具体的には、図８は、２０１６年２月１４日から３月３１日までの約１ヶ月半の期間において、抽出断面Ｓを通過し新東名開通区間を利用した車の移動実績を、補完移動実績情報データベース７２１から抽出した結果を表示している。なお、図８中の数字は、流出断面Ｓを基準とした流入・流出率を示している。図９は、目的地として設定された施設のうち上位５件をリストアップしたものである。図８および図９の交通分析によれば、新道路の利用者の目的地や、新規道路開通による効果を容易に把握することができる。
【００９０】
図１０は、圏央道開通区間の利用者の目的地を分析した結果を示し、図１１は、主な目的地別にデータ数をまとめた表を示している。具体的には、図１０は、２０１６年１月から３月までの約３ヶ月の期間において、圏央道開通区間を利用した車の移動実績を、補完移動実績情報データベース７２１から抽出した結果を表示している。なお、図１０中の数字は、抽出されたデータ数の割合を示している。また、図１０中の星印は、目的地として設定された施設のうち上位５件を表示したものである。図１０では、圏央道とそれ以外の道路を識別可能な態様（例えば色を変える）で表示している。図１０によれば、圏央道利用者の目的地および移動経路を容易に把握することができる。
【００９１】
図１１には、比較のため、未開通の区間であるミッシングリンク（相模原愛川ＩＣ〜高尾山ＩＣ間，桶川北本ＩＣ〜白川菖蒲ＩＣ間，神崎ＩＣ〜大栄ＪＣＴ間）が存在する２０１４年のデータ数も表示している。全国的な流入数で見て、地元観光地については、２０１４年比で増加率（倍率）が２倍以上となっていることから、需要が増加した（すなわちストック効果がある）ことがわかる。一方、大型商業施設については、増加率が２倍未満であることから、行きやすくなったものの、それほど需要自体は伸びていないことがわかる。このように、図１１の分析結果によれば、ストック効果が現れている施設を容易に把握することが可能である。
【００９２】
図１０および図１１で示したように、圏央道利用者の経路および目的地を容易に把握することが可能となる。また、圏央道利用者の目的地に着目することで、流入経路を容易に把握することができる。新規道路の開通前後における２つの期間について分析を行うことで、施設等の目的地への流入数の変化を知ることもできる。このように経年比較を行うことで、ミッシングリンクとなっていた区間が繋がることによる効果を可視化することもできる。また、出発側の分布を見ることで、道路が開通したことによる施設の商圏の変化も捉えることもできる。
【００９３】
次に、図１２（ａ），（ｂ）は、道路開通前後で神社Ｃへの流入経路を分析した結果を示している。図１２（ａ），（ｂ）では、圏央道、高規格道路、一般道を識別可能な態様（例えば色を変える）で表示している。
【００９４】
より詳しくは、図１２（ａ）および（ｂ）は、神社Ｃを目的地として移動した車の移動実績を、補完移動実績情報データベース７２１から抽出した結果を表示している。図１２（ａ）は２０１４年１月から３月までの期間について分析した結果を示し、図１２（ｂ）は２０１６年１月から３月までの期間について分析した結果を示している。図１２（ａ）および（ｂ）を比較することにより、道路開通に伴って東京方面から東名・圏央道経由での流入が大幅に増加するとともに高尾山方面からも流入しており、ストック効果が現れていることがわかる。また、神社Ｃ周辺の商圏が広域化していることもわかる。
【００９５】
次に、図１３は、目的地のカテゴリ別に道路整備の効果を分析した結果を示すグラフである。具体的には、２０１４年１月から３月までの期間と、２０１６年１月から３月までの期間の２期間について、新たに開通した道路（高規格道路）を利用して流入した車の移動実績を、補完移動実績情報データベース７２１から抽出し、目的地のカテゴリ別に、新規道路利用率の差および目的地設定数の増加率を求めてプロットした結果である。より詳しくは、目的地カテゴリ別に、目的地設定総数に対する新高規格道路（２０１３年１２月以降に開通した高規格道路）を利用した目的地設定数の割合を計算し、２０１４年と２０１６年との差を取ったものである。
【００９６】
図１３の分析結果によれば、道の駅やゴルフ場のようにグラフの右上に位置するカテゴリほど、２０１４年に比べて２０１６年の目的地設定数の増加率が高く、かつ新高規格道路を利用して目的地まで移動するユーザが多いことから、新高規格道路の開通によって恩恵を受けたカテゴリと言える。逆に、ディスカウントストアや居酒屋は、目的地設定数の増加率が低く、かつ新高規格道路を利用する人はほぼいないことから、単純に衰退したカテゴリと考えられる。アウトレットモールやスキー／スノボについては、新高規格道路の利用率は延びているにも関わらず、目的地設定数の増加率は平均値を下回っていることから、利用道路が旧高規格道路（２０１３年１２月以前から存在する高規格道路）もしくは一般道（高規格道路以外の道路）から新高規格道路に転換しただけであり、施設への来客数はさほど増加しなかったカテゴリと言える。このように図１３の交通分析によれば、新規に開通した高規格道路によって恩恵を受けたカテゴリと、そうでないカテゴリを容易に分類することができる。
【００９７】
なお、カテゴリ別に限らず、ＰＯＩ（Ｐｏｉｎｔ  Ｏｆ  Ｉｎｔｅｒｅｓｔ）単位で分類することで、より解像度の高い分析を行うこともできる。また、目的地の属するエリア別（行政界、メッシュ単位等）に分析することで、新規に開通した高規格道路によって恩恵を受けたエリアと、そうでないエリアを容易に分類できるようにしてもよい。
【００９８】
上記のように、第２の実施形態では、補完移動実績情報生成部７１３が、移動実績情報および経路探索条件情報に基づいて、出発地および／または目的地が移動実績情報に付加された補完移動実績情報を生成する。換言すれば、実際に移動した経路を出発地および／または目的地で区切ることで、移動の意図に関する情報を含んだ分析対象経路とする。そして、出力情報取得部７１４が、補完移動実績情報データベース７２１から交通分析条件を満たす補完移動実績情報を抽出する。これにより、移動実績情報と経路探索条件情報のそれぞれの特徴を活かし、種々の有益な交通分析（道路整備と目的地設定の相関分析、カテゴリ別に目的地の分類、新規道路開通に伴う利用経路・目的地の変化の可視化など）を行うことができる。
【００９９】
なお、上記の分析例では、自動車による移動の例について説明したが、本発明は、自動車による移動だけでなく、その他の移動手段（電車、バス、バイク、自転車、徒歩など）による移動に対しても適用可能である。例えば、鉄道やバスの新規路線の開通に伴う利用経路・目的地の変化を把握することも可能である。
【０１００】
また、第１および第２の実施形態における出力情報取得部２２３，３２４，６１２，７１４はいずれも、特許請求の範囲における「出力情報取得手段」に相当し得る構成要素である。
【０１０１】
上述した実施形態で説明した情報処理システムの少なくとも一部は、ハードウェアで構成してもよいし、ソフトウェアで構成してもよい。ソフトウェアで構成する場合には、情報処理システムの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【０１０２】
また、情報処理システムの少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【０１０３】
さらに、一つまたは複数の情報処理装置によって情報処理システムを機能させてもよい。複数の情報処理装置を用いる場合、情報処理装置のうちの１つをコンピュータとし、当該コンピュータが所定のプログラムを実行することにより情報処理システムの少なくとも１つの手段として機能が実現されてもよい。
【０１０４】
また、方法の発明においては、全ての工程（ステップ）をコンピュータによって自動制御で実施するようにしてもよい。また、各工程をコンピュータに実施させながら、工程間の進行制御を人の手によって実施するようにしてもよい。また、さらには、全工程のうちの少なくとも一部を人の手によって実施するようにしてもよい。
【０１０５】
上記の記載に基づいて、当業者であれば、本発明の追加の効果や種々の変形を想到できるかもしれないが、本発明の態様は、上述した個々の実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【０１０６】
１，１Ａ  情報処理システム
２  端末装置
２１  通信部
２２  制御部
２２１  位置情報取得部
２２２  探索条件取得部
２２３  出力情報取得部
２３  測位部
２４  操作入力部
２５  出力部
３  サーバ
３１  通信部
３２  制御部
３２１  移動実績情報取得部
３２２  経路探索条件情報取得部
３２３  補完移動実績情報生成部
３２４  出力情報取得部
３３  記憶部
３３１  移動実績情報データベース
３３２  経路探索条件情報データベース
３３３  補完移動実績情報データベース
４  ネットワーク
５  ログサーバ
５１  記憶部
５１１  移動実績情報データベース
５１２  経路探索条件情報データベース
６  分析用端末
６１  制御部
６１１  分析条件取得部
６１２  出力情報取得部
６２  操作入力部
６３  出力部
７  分析サーバ
７１  制御部
７１１  移動実績情報取得部
７１２  経路探索条件情報取得部
７１３  補完移動実績情報生成部
７１４  出力情報取得部
７１５  交通分析部
７２  記憶部
７２１  補完移動実績情報データベース
Ａ  部分
Ｒ１，Ｒ２，Ｒ３  移動経路
Ｓ  抽出断面
【図１】
2018087727.tif 000003
【図２】
2018087727.tif 000004
【図３Ａ】
2018087727.tif 000005
【図３Ｂ】
2018087727.tif 000006
【図４】
2018087727.tif 000007
【図５】
2018087727.tif 000008
【図６】
2018087727.tif 000009
【図７Ａ】
2018087727.tif 000010
【図７Ｂ】
2018087727.tif 000011
【図８】
2018087727.tif 000012
【図９】
2018087727.tif 000013
【図１０】
2018087727.tif 000014
【図１１】
2018087727.tif 000015
【図１２】
2018087727.tif 000016
【図１３】
2018087727.tif 000017